(57)【要約】【課題】少ない本数の連結部材でも確実に型枠をその外側から支持することができる型枠外部支持工法を提供すること。【解決手段】対向する型枠２０，２０の両外側面側に設置した作業床１００（１００−１，１００−３間と１００−２，１００−４間）を連結部材５０によって連結する。各作業床１００−１〜４に取り付けた支持部材１５０によって型枠２０をその外側から支え、これによって型枠板１０内部に打設するコンクリートの圧力に型枠２０が耐えられるようにする。【選択図】      図１
2004176392.tif 000002
【特許請求の範囲】
【請求項１】
型枠内部に打設したコンクリートの圧力に型枠が耐えられるように、型枠を支持する型枠支持工法において、
対向する型枠の両外側面側に設置した支保工内の部材間を連結部材によって連結するとともに、前記支保工内の部材によって型枠をその外側から支え、これによって型枠内部に打設したコンクリートの圧力に型枠が耐えられるようにしたことを特徴とする型枠外部支持工法。
【請求項２】
前記支保工内の部材は、支保工内に設置した作業床であることを特徴とする請求項１に記載の型枠外部支持工法。
【発明の詳細な説明】
【０００１】
【発明の属する技術分野】
本発明は、型枠をコンクリート打設時の圧力に耐えるように支持する型枠外部支持工法に関するものである。
【０００２】
【従来の技術】
従来、例えば鉄筋コンクリート製の橋の橋脚を建造する場合、図４に示すように、まずコンクリートを打設するための型枠構造を建造する必要がある。即ちこの型枠構造は、矩形状に囲んだ木製板状の型枠板（セキ板）２１０の内部に鉄筋２１５を縦横に組み込み、さらに型枠板２１０の外周を上下方向に向かう多数本の支柱（縦バタ）２３０で囲み、さらにその外周を水平方向に向かう支柱（横バタ）２４０で囲み（支柱２４０は上下方向、即ち図４では紙面手前奥方向に向けて所定間隔毎に複数段設置されている）、対向する支柱２４０，２４０間を、金属棒製の連結部材２５０によって型枠板２１０内部を貫通して連結して構成されている。なお型枠板２１０と支柱２３０と支柱２４０とによって型枠２００が構成されている。対向する支柱２４０，２４０間を連結部材２５０によって連結するのは、型枠２００内部に打設するコンクリートの圧力に型枠２００が耐えられるようにするためである。そして型枠板２１０内にコンクリートを打設して養生した後、型枠２００（支柱２４０，支柱２３０、型枠板２１０）とを取り外せば、鉄筋コンクリート製の橋脚が完成する。
【０００３】
ところで近年、橋脚等の大型のコンクリート建造物においては、耐震強度を強化するため、型枠２００内部に組み込む鉄筋２１５の本数を増加したり、その径を太くしたりすることが要求されるようになってきている。しかしながら鉄筋２１５の本数を増加したり、鉄筋２１５の径を太くしたりすると、組み込んだ鉄筋２１５と鉄筋２１５の間の隙間が狭くなり、このため前記連結部材２５０を鉄筋２１５と鉄筋２１５の間に通すことが非常に困難になってしまう。この問題点を解消するには、連結部材２５０の本数を減らせば良いが、そうすると型枠２００の強度が十分でなくなり、打設するコンクリートの圧力に型枠２００が耐えられなくなる恐れがある。
【０００４】
【発明が解決しようとする課題】
本発明は上述の点に鑑みてなされたものでありその目的は、少ない本数の連結部材でも確実に型枠をその外側から支持することができる型枠外部支持工法を提供することにある。
【０００５】
【課題を解決するための手段】
本願発明者は、型枠設置の際に型枠の外部に設置する支保工（作業床）に着目し、この支保工（作業床）を前記型枠の補強に利用することによって、上記問題点を解決することとした。
【０００６】
即ち上記問題点を解決するため本発明は、型枠内部に打設したコンクリートの圧力に型枠が耐えられるように、型枠を支持する型枠支持工法において、対向する型枠の両外側面側に設置した支保工内の部材間を連結部材によって連結するとともに、前記支保工内の部材によって型枠をその外側から支え、これによって型枠内部に打設したコンクリートの圧力に型枠が耐えられるようにしたことを特徴とする。支保工内の部材を用いて型枠をその外側から支えるので、少ない本数の連結部材でも確実に型枠をその外側から支持できる。
【０００７】
また本発明は、前記支保工内の部材が、支保工内に設置した作業床であることを特徴とする。支保工の中でも作業床はその強度を強くできるので、型枠の外側からの支持強度を強くするのに好適である。
【０００８】
【発明の実施の形態】
以下、本発明の実施の形態を図面を参照して詳細に説明する。
図１は本発明の一実施の形態にかかる型枠外部支持工法を用いて組み立てた橋脚用の型枠構造の一例を示す概略平面図、図２はその概略断面図（図１のＡ−Ａ断面図、但し鉄筋１５の記載は省略している）である。図１に示すようにこの型枠構造は、矩形状に囲んだ木製の型枠板（セキ板）１０の内部に鉄筋１５を縦横に組み込み、さらに型枠板１０の外周を上下方向に向かう多数本の木製の支柱（縦バタ）３０で囲み、さらにその外周を水平方向に向かう鉄製の支柱（横バタ）４０で囲み（支柱４０は図２に示すように上下方向、即ち図１では紙面手前奥方向に向けて所定間隔毎に複数段設置されている）、さらに支柱４０の外周を囲むようにその四辺に支保工９０−１〜４を設置して構成されている。支保工９０−１〜４内には、図２に示すように作業床１００−１〜４が、上下方向に向けて所定間隔毎に複数段設置されている。なお型枠板１０と支柱３０と支柱４０とによって、型枠２０が構成される。
【０００９】
そして図１に示す長辺側の型枠２０，２０の両外側の支保工９０−１，３に設置された作業床１００−１，３間は、複数ヶ所において、型枠板１０内部を貫通する鋼棒製の連結部材５０によって連結されている。また各作業床１００−１，３にはこれらにそれぞれ対向する支柱４０をその外側から支える支持部材１５０が設置されている。同様にもう一対の支保工９０−２，４に設置された作業床１００−２，４間も、連結部材５０によって連結され（この実施形態の場合は連結部材５０は型枠板１０の両外側を通過している）、また各作業床１００−２，４にもこれらにそれぞれ対向する支柱４０をその外側から支える支持部材１５０が設置されている。
【００１０】
この型枠構造によれば、剛性の高い支保工９０−１〜４間、その中でも特に剛性を高くできる作業床１００−１〜４間を連結部材５０で連結した上でこれら作業床１００−１〜４に固定した多数の支持部材１５０によって型枠２０をその外側の多数個所から支持しているので、支持部材１５０による型枠２０の外側からの支持は強度が強く（特に対向する型枠２０，２０間を引き離そうとする力に対して強度が強く）、このため連結部材５０の本数が少なくても、内部に打設するコンクリートの圧力に型枠２０は十分耐えることができる。
【００１１】
そして以上のようにして構成した型枠板１０内にコンクリートを打設して養生した後、支保工９０−１〜４（作業床１００−１〜４と支持部材１５０を含む）、型枠２０（支柱４０，支柱３０、型枠板１０）を取り外せば、鉄筋コンクリート製の橋脚が完成する。
【００１２】
図３は連結部材５０と作業床１００間を連結する連結構造の具体的一例を示す要部拡大側面図である。同図に示すように型枠板１０内を貫通する連結部材５０は、上下方向に向かう支柱３０と支柱３０の間から引き出され、支柱３０の外側面に設置された水平方向（紙面手前奥方向）に向かう支柱４０を貫通し、支持部材１５０の端部に設けたベースプレート１５１と支柱４０の間に挟持される締め付け用金具１５２にボルト１５３によって固定されている。ベースプレート１５１と締め付け用金具１５２と支柱４０間は、ボルト・ナット１５７によって一体に固定されている。そして支持部材１５０の他端には縞鋼板からなる作業床１００が固定されているので、結局対向する型枠２０の両外側面側に設置した一対の作業床１００間は連結部材５０によって連結されることとなる。支持部材１５０はハンドル（伸縮手段）１５５を回動することでその伸縮ができるように構成されている。そして支持部材１５０は、連結部材５０を連結する部分だけでなく、図１に示すように連結部材５０のない作業床１００の側面にもほぼ等間隔に複数箇所設けられ、これら支持部材１５０は支柱４０、即ち型枠２０をその外部から支持している。なお連結部材５０は、この実施の形態では型枠板１０の内側面に設置した鉄製の略円錐台形の結合部材５１によって、型枠板１０の内側部分に設置される連結部材５０と、型枠板１０の外側部分に設置される連結部材５０とを結合して構成されている。結合部材５１での結合は両連結部材５０の先端に設けたオネジを結合部材５１に設けたメネジ内に螺合することによって行なう。二本の連結部材５０を結合部材５１によって結合したのは、型枠板１０の内側にコンクリートを打設して硬化した後に、型枠２０を取り外す際、コンクリートの外側に突出する連結部材５０を容易に取り外せるようにするためである。
【００１３】
そして各支持部材１５０の伸縮を行なって支柱４０を押圧する強さを調整した後に、型枠板１０内にコンクリートを打設して養生し、その後支保工９０（作業床１００及び支持部材１５０を含む）、型枠２０（支柱４０，支柱３０、型枠板１０）、型枠板１０から外側に突出する連結部材５０、を取り外せば、鉄筋コンクリート製の橋脚が完成する。
【００１４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施の形態では作業床１００間を連結部材５０によって連結しているが、強度が保持できるのであれば、連結部材５０で連結するのは支保工９０内の作業床１００以外の部材間であっても良い。また作業床１００は縞鋼板に限られず、強度の強い合成樹脂板等、他の種々の構造・材質のものを用いても良い。また型枠２０等を構成する各部材の構造・材質も種々の変更が可能である。
【００１５】
【発明の効果】
以上詳細に説明したように本発明によれば、支保工内の部材（特に作業床）を利用することによって、少ない本数の連結部材でも確実に型枠をその外側から支持することができ、これによって例え型枠内に組み込む鉄筋の本数が増加したり、鉄筋の径を太くしても、容易に型枠内に連結部材を通すことができるという優れた効果を有する。
【図面の簡単な説明】
【図１】本発明の一実施の形態にかかる型枠外部支持工法を用いて組み立てた橋脚用の型枠構造の一例を示す概略平面図である。
【図２】図１に示す型枠構造の概略断面図（図１のＡ−Ａ断面図、但し鉄筋１５の記載は省略している）である。
【図３】連結部材５０と作業床１００間を連結する連結構造の具体的一例を示す要部拡大側面図である。
【図４】従来の橋脚用の型枠構造の一例を示す概略平面図である。
【符号の説明】
１０  型枠板
１５  鉄筋
２０  型枠
３０  支柱
４０  支柱
５０  連結部材
５１  結合部材
９０（９０−１〜４）  支保工
１００（１００−１〜４）  作業床
１５０  支持部材
１５１  ベースプレート
１５２  締め付け用金具
１５３  ボルト
１５５  ハンドル
１５７  ボルト・ナット
【図１】
2004176392.tif 000003
【図２】
2004176392.tif 000004
【図３】
2004176392.tif 000005
【図４】
2004176392.tif 000006